(57)【要約】【課題】セラミックスなどの感応物質の特性を利用し、思念波を伝送媒体とする新しい通信のための装置を提供すること。【解決手段】波動転写された無機物質に対して情報信号を含む電磁波の振動を作用せしめることにより振動変調された思念波を発生する送信手段と、該波動転写された無機物質に対して到来する思念波が作用して振動復調されることにより発生した電磁波を情報信号として検出する受信手段と、前記電磁波が受信作用を妨害しないようにした差動変成手段とを有する思念波通信装置。【選択図】　　　　　図１
2004104178.tif 000002
【特許請求の範囲】
【請求項１】
波動転写された無機物質に対して情報信号を含む電磁波の振動を作用せしめることにより振動変調された思念波を発生する送信手段と、該波動転写された無機物質に対して到来する思念波が作用して振動復調されることにより発生した電磁波を情報信号として検出する受信手段と、前記電磁波が受信作用を妨害しないようにした差動変成手段とを有することを特徴とする思念波通信装置。
【請求項２】
前記波動転写された無機物質は、感応物質を所要の周波数および強度をもつように固定してなることを特徴とする請求項１記載の思念波通信装置。
【請求項３】
前記感応物質としてセラミックスを用いること特徴とする請求項２記載の思念波通信装置。
【請求項４】
前記差動変成手段が、２つの送信用捲線が互いに差動的に捲かれていること特徴とする請求項１、２又は３記載の思念波通信装置。
【発明の詳細な説明】
【０００１】
【発明の属する技術分野】
本発明は、極めて高い周波数を有する思念波の特性、即ち、作用が伝播する場合の速達性、物質に対する貫通性などに着目した新しい形態の思念波通信装置に関する。
【０００２】
【従来の技術】
従来の通信は光の領域を上限とする、いわゆる電磁波に係わる技術を用いて行うものであった。近時、人類の活動が地球圏内にとどまらず、宇宙規模に拡大するにつれて通信に対する新たな要望が起きている。
【０００３】
それは、既存の電磁波通信領域（通信周波数領域）にとどまることなく通信量をさらに増大したいこと、情報の伝達時間を短縮したいこと、地中、水中を問わず如何なる場所においても通信を行いたいなどとするものである。
【０００４】
しかしながら、このような要望は、在来の技術によっては到底それに応えることは出来ず、新たな発想が必要となっている。
【０００５】
【発明が解決しようとする課題】
最近の素粒子研究によれば、従来から知られている素粒子に加えて人間の精神力や想念力を媒介する新しい素粒子の存在が示唆されている。そのような力、即ち、従来の物理学で知られている四つの力（即ち、重力、電磁気力といわゆる弱い力および強い力）とは別の、いわゆる「第五の力」に対応する素粒子を「ｐｎｅｕｍａｔｒｏｎ，ニューマトロン（思念子）」と名付けている。思念子は電気を持たず、物質を透過する性質がある。また、この思念子に対応する波を思念波と呼ぶ。思念波は極めて高い周波数をもつ縦波であり、光速以上の伝播速度を持ち得るとされている。
【０００６】
このような思念波は、到達地点を写真撮影し、その写真に対してＯリングによる検知を行うことによりその結果から思念波の到達を確認する方法で測定することができ、その存在が確認されている。
【０００７】
一方、従来から以上の如き「第五の力」に感応し易い、即ち思念波を発生し易い物質としてセラミックスが知られているが、その他にフェライト・コアーなども感応物質となりうる。
【０００８】
本発明の課題は、このような感応物質の特性を利用し、前記の思念波を伝送媒体とする新しい通信のための装置を提供せんとするものである。
【０００９】
【課題を解決するための手段】
上記課題は、以下の各発明によって解決される。
【００１０】
（請求項１）波動転写された無機物質に対して情報信号を含む電磁波の振動を作用せしめることにより振動変調された思念波を発生する送信手段と、該波動転写された無機物質に対して到来する思念波が作用して振動復調されることにより発生した電磁波を情報信号として検出する受信手段と、前記電磁波が受信作用を妨害しないようにした差動変成手段とを有することを特徴とする思念波通信装置によって解決される。
【００１１】
（請求項２）前記波動転写された無機物質は、感応物質を所要の周波数および強度をもつように固定してなることを特徴とする請求項１記載の思念波通信装置。
【００１２】
（請求項３）前記感応物質としてセラミックスを用いること特徴とする請求項２記載の思念波通信装置。
【００１３】
（請求項４）前記差動変成手段が、２つの送信用捲線が互いに差動的に捲かれていること特徴とする請求項１、２又は３記載の思念波通信装置。
【００１４】
【発明の実施の形態】
以下、本発明の実施の形態を図面に基づいて説明する。
【００１５】
本発明の思念波通信装置は、互いに距離ｄなる地点におかれ、それぞれ送信手段と受信手段とを備えた通信局Ｓ１と通信局Ｓ２との間において思念波通信を行うものであり、図１はその送受信装置例の接続を示す図である。
【００１６】
Ａ１、Ａ２はアンテナ部分、Ｔ１、Ｔ２は送信機、Ｒ１、Ｒ２は受信機である。各記号の数字は、それぞれ通信局Ｓ１またはＳ２に設置された装置を意味する。またＦは周波数Ｆなる思念波、ｆ１、ｆ２は通信局Ｓ１およびＳ２におけるそれぞれの送信電磁波又はその周波数を表わす。なお、ｆ１、ｆ２の値はそれぞれ任意の値に選定することができる。
【００１７】
アンテナ部分Ａ１、Ａ２は同一の構造を有し、いずれも１つの金属容器Ｄの内部に収容されている。金属容器Ｄとしては、銅を用いることができ、その形状は、筒型、箱形等の任意な形状とすることができる。
【００１８】
図２は、アンテナ部分Ａ１の構造を例として差動変成手段を説明する図であり、同図において、Ｂはフェライト・コアーであり、Ｂには送信用捲線Ｌ１、Ｌ２及び受信用捲線Ｌ３が巻かれており、同軸ケーブルＥの心線を経てそれぞれ送信機Ｔｌ及び受信機Ｒ１に接続されている。
【００１９】
図２に示す如く、送信用捲線ＬｌとＬ２は互に差動的に捲かれているので、受信用捲線Ｌ３には、即ち受信機Ｒｌの入力には受信作用を妨害するような起電力は生じないようにしている。このような機能を本発明では差動変成機能と称し、その機能を実現する手段を差動変成手段と称する。
【００２０】
差動的に捲くとは、フェライト・コアーＢの中央部で磁束が互いに打消し合うようになっても感応物質Ｃに対しては電磁振動作用を与えるようにするものである。
【００２１】
電磁振動作用とは、電磁気的振動であり、思念波と電磁波の両方に共通に作用するものである。
【００２２】
フェライト・コアーＢの両側（両端）には、感応物質Ｃが接着して取り付けられている。図２は感応物質Ｃの１つの取付け状態を示すものである。
【００２３】
感応物質Ｃは波動転写によって特定の周波数Ｆが発生するように活性化されている。即ち、感応物質Ｃは然るべき外部からの励起作用によって思念波Ｆを発生するようにしてある。
【００２４】
ここで、波動転写というのは、ある１つの無機物質に対して、それが有する特性、即ち、所要の周波数および強度をもつように電磁振動作用を利用して、前記の感応物質Ｃをそのような状態に固定することをいう。
【００２５】
固有の周波数及び強度とは、思念波通信の目的を達成するために都合の良い任意の値に選ぶことをいう。
【００２６】
また活性化というのは、上記無機物質を構成する素粒子に対して力の媒体としての作用を行うような状態に励起することを意味する。素粒子に対して力の媒体としての作用を行うような状態に励起する有効な方法としては、前記の電磁振動作用が挙げられる。
【００２７】
感応物質Ｃとしてはセラミックスを用いることができる。セラミックスとしては、粒状にまたは、薄い円盤状に成形し、焼成したものを用いることができる。
【００２８】
次に思念波通信を行う場合の動作について述べる。
【００２９】
最初に通信局Ｓｌが送信側、通信局Ｓ２が受信側である場合について説明する。
【００３０】
通信局Ｓｌにおいては、送信機Ｔｌにより情報信号で変調した周波数ｆｌなる変調波を捲線Ｌｌ、Ｌ２に印加する。
【００３１】
情報信号とは、送信したい情報を含む電気的信号として再現される信号のことをいい、例えば、音声を送信するときは、音波による振動を変換した電気的信号として再現される信号のことをいう。
【００３２】
変調波ｆｌにより発生する電磁界に伴ってフェライトＢに生ずる振動は活性化されたセラミックスＣに伝わる。
【００３３】
この振動は、縦波の発生を助長し、該セラミックスは変調波ｆｌで変調された、即ち振動変調された周波数Ｆなる波を発生する。
【００３４】
かかる波の周波数Ｆは、到達地点を写真撮影し、その写真に対してＯリング（以下、オーリングともいう）装置により検知することができる。オーリングの検知装置としては、例えば、特開２００１−３０９９７号公報に記載のＯリングテスト装置を用いることができる。具体的には、前記到達地点の写真に対し到達地点を指又は指示棒等の指示手段で指示し、当該指示手段で用いた手と反対の手でオーリングを形成し、該オーリングに対し前記Ｏリングテスト装置により離接状態を検出し、オーリングが拡開しない場合に思念波の存在を確かめられる。また、その周波数は、前記写真の測定したい地点の部分と予想される周波数を指示手段で指示し、対応するオーリングが拡開しない場合に、その地点の思念波の周波数が予想された周波数であると判断することにより測定できる。
【００３５】
この思念波は、アンテナ部分Ａ１の金属容器Ｄを貫通し、瞬時にｄなる距離にある通信局Ｓ２に到達する。ここで、ｄなる距離というのは、音声が届く程度の近距離から当面は太陽系の天体間距離程度を対象としており、また瞬時というのは、光速を超えて伝播する時間長程度のおくれ時間を意味している。
【００３６】
この波の思念波の周波数Ｆは極めて高く、１０１８毎秒以上１０５０毎秒程度である。
【００３７】
この周波数Ｆは、金属容器Ｄ内と金属容器Ｄ外部とで前記Ｏリングにより検知し測定をした場合に、ほぼ同一の値が認められ、金属容器Ｄを貫通していることがわかる。金属容器Ｄを自在に貫通していることから、思念波は、高い透過力を有することがわかる。
【００３８】
一方、通信局Ｓ２のアンテナ部分Ａ２においては、周波数ｆ２なる送信用変調波がフェライト・コアーＢの捲線ＬｌとＬ２にそれぞれ印加されている。この電磁作用に伴う振動はセラミックスＣに伝わり、セラミックスＣは励起状態にされている。この励起状態の下にあるセラミックスＣに思念波Ｆがアンテナ部分Ａ２の金属容器Ｄを貫通して作用する。
【００３９】
その結果、フェライト・コアーＢには到来した思念波Ｆを振動変調している変調波ｆｌに相当した振動が発生する。この振動成分は捲線Ｌ３によって検出され、受信機Ｒ２によって周波数選択され、さらに増幅されて、Ｓｌ局からの信号としてとり出される。この作用は振動復調とも呼ぶことができる。
【００４０】
なお、この場合も通信局Ｓｌにおける状態と同様に変調波ｆ２による起電力は受信機Ｒ２の入力端子において打ち消され、Ｓ２局における受信を妨害しないようになっている。
【００４１】
以上とは逆に、通信局Ｓ２が送信側、通信局Ｓｌが受信側となる場合について述べる。まず変調波ｆ２が局Ｓ２から発せられる情報信号によって変調される。この変調された変調波ｆ２によって起こる電磁振動はセラミックスＣに振動変調を与え、思念波Ｆを発生させる。
【００４２】
思念波Ｆはｄなる距離にある通信局Ｓｌに瞬時に到達し、フェライト・コアーＢに変調波ｆ２に相当する振動を与える。捲線Ｌ３によって振動復調された信号成分は受信機Ｒ１によって周波数選択され、さらに増幅され、局Ｓ２からの信号として受信されるのである。
【００４３】
このように思念波通信は、周波数の高い思念波を伝送媒体とするが、思念波を直接、処理することはなく、電磁波と思念波とに共通な振動作用を利用して信号の伝送を実現した点に特色をもっている。
【００４４】
上述の如く、アンテナ部分Ａ１、Ａ２はいずれも金属容器Ｄによって遮蔽されているが、それは、送信側からｆ１及びｆ２なる変調波が電磁波として漏洩し、通常の電磁波通信に対して妨害波となることを避けるためのものである。
【００４５】
また受信側においては、外来するｆ１及びｆ２なる周波数の天然及び人工的な多数の電磁波によって、本来の思念波通信の受信が妨害されるのを防止する役割を持たせている。
【００４６】
このように、従来の電磁波通信に影響を与えることなく、新しい通信媒体による無線通信を行うことが出来る。従って、従来の電磁波による通信周波数領域に制限されることなく通信を行うことができる。即ち、通信量の増大が図れる。
【００４７】
また、思念波はその周波数が極めて高く、金属容器Ｄを自在に透過できる。従って、思念波は高い透過力を有し、水中、地中の如何を問わず、宇宙の如何なる地点においても通信が可能である特徴を持っている。
【００４８】
【発明の効果】
以上、本発明の思念波通信装置によれば、在来の電磁波通信では実現できない以下のサービスを提供できる。
【００４９】
１．従来の電磁波通信とは別の通信媒体を用いることにより、従来の電磁波通信に影響なく、無線通信を行うことが出来る。伝送量も増大せしめる。
【００５０】
２．水中、地中に関係なく、如何なる宇宙の場所においても通信が可能である。
【００５１】
３．また伝播時間が短く、瞬時のいわゆるリアルタィム通信が実現される。
従って今後の宇宙規模の通信時代においては欠くべからざる手段となるものである。
【００５２】
また、本願の装置は構造が簡単であり、経済的に新しい通信を提供できる効果をもっている。
【図面の簡単な説明】
【図１】本発明の送受信装置例の接続を示す図
【図２】本発明のアンテナ部分の構造例を示す図
【符号の説明】
Ａ１、Ａ２：アンテナ部分
ｆｌ、ｆ２：搬送波およびその周波数
Ｌｌ、Ｌ２：送信用差動捲線
Ｌ３：受信用捲線
Ｓ１、Ｓ２：通信局
Ｂ：フェライト・コアー
Ｃ：セラミックス
Ｄ：金属容器
ｄ：通信局間の距離
Ｅ：同軸ケーブル
Ｆ：思念波およびその周波数
【図１】
2004104178.tif 000003
【図２】
2004104178.tif 000004